(57)【要約】【課題】従来技術の欠点を克服するために構造的且つ機能的に設計されたフィルターカートリッジ、およびその製造方法を提供する。【解決手段】濾過される液体が流入する少なくとも一つの流入口７および対向する側において濾過された液体が流出する少なくとも一つの流出口８と、カートリッジ本体２の内部にフィルターベッドを保持するための少なくとも一つのグリッド１１および流出口８において濾過された液体の流出を制限するための制限要素１２とを有する、液体濾過用ジャグに用いられるフィルターカートリッジ１であって、グリッド１１および制限要素１２は、共に、カートリッジ本体２の少なくとも一つの流出口８に設けられた共通の座部１０に配置される。【選択図】図３
2010531220.tif 000002
【特許請求の範囲】
【請求項１】
フィルターベッドを包含するためのカートリッジ本体（２）を備え、
前記カートリッジ本体（２）は、濾過される液体が流入する少なくとも一つの流入口（７）、および対向する側において濾過された液体が流出する少なくとも一つの流出口（８）と、
前記カートリッジ本体（２）の内部に前記フィルターベッドを保持するための少なくとも一つのグリッド（１１）、および前記流出口（８）において濾過された液体の流出を制限するための制限要素（１２）と、を有する、特に液体濾過用ジャグに用いられるフィルターカートリッジ（１）であって、
前記グリッド（１１）および前記制限要素（１２）は、共に、カートリッジ本体（２）の前記少なくとも一つの流出口（８）に設けられた共通の座部（１０）に配置されることを特徴とする、フィルターカートリッジ。
【請求項２】
前記グリッド（１１）および前記制限要素（１２）は、共に、相互に対しておよび前記カートリッジ本体（２）に対して、構造的に独立した要素として構成されている、請求項１に記載のフィルターカートリッジ。
【請求項３】
前記グリッド（１１）および前記制限要素（１２）は、前記座部（１０）に対するプラグ形状を有し、前記座部（１０）に差し込まれて配置されている、請求項１または２に記載のフィルターカートリッジ。
【請求項４】
前記グリッド（１１）および前記制限要素（１２）は、個別の取扱いが可能であって、前記座部（１０）に挿入されるユニットを形成するための筐体に組み立てられる、請求項１または２に記載のフィルターカートリッジ。
【請求項５】
前記グリッド（１１）および前記制限要素（１２）は、互いにスナップ式に連結されている、請求項１〜４のいずれかに記載のフィルターカートリッジ。
【請求項６】
前記グリッド（１１）および前記制限要素（１２）は、互いに連結され、および／または、前記流出口（８）に嵌合によって連結される、請求項１〜５のいずれかに記載のフィルターカートリッジ。
【請求項７】
前記グリッド（１１）および前記制限要素（１２）は、取付けリング（１３）を介在して、一つの筐体に組み立てられる、請求項１〜６のいずれかに記載のフィルターカートリッジ。
【請求項８】
前記取付けリング（１３）は、前記グリッド（１１）または前記座部（１０）のどちらかと一体となるように組み込まれる、または、前記グリッド（１１）および前記座部（１０）から構造的に独立している、請求項７に記載のフィルターカートリッジ。
【請求項９】
前記制限要素（１２）は、底部から延びるプラグ形状を有し、貫通孔が設けられた中央の付属部２２が、前記底部に設けられ、前記付属部２２は、グリッド１１に向けて突出している、請求項１〜８のいずれかに記載のフィルターカートリッジ。
【請求項１０】
前記フィルターベッドを包含し、濾過される液体が流入する少なくとも一つの前記流入口（７）、および対向する側において濾過された液体が流出する少なくとも一つの前記流出口（８）を有する前記カートリッジ本体（２）を準備する段階を備える、特に液体濾過用ジャグに用いられる前記フィルターカートリッジ（１）の製造方法であって、
前記カートリッジ本体（２）の内部に前記フィルターベッドを保持するための少なくとも一つの前記グリッド（１１）、および濾過された液体の流出を制限するための当該前記制限要素（１２）を個別に準備する段階と、
カートリッジ本体（２）の前記少なくとも一つの流出口（８）に設けられた前記共通の座部（１０）に、前記グリッド（１１）および前記制限要素（１２）を設置し、これらのの部材を互いに組み立てる段階と、を備えることを特徴とする、製造方法。
【請求項１１】
前記グリッド（１１）および前記制限要素（１２）は、前記流出口（８）に組み込まれる前に、事前に互いに組み立てられる、請求項１０に記載の製造方法。
【発明の詳細な説明】
【技術分野】
【０００１】
この発明は、特に液体濾過用ジャグに用いられるフィルターカートリッジ、およびその製造方法に関する。
【背景技術】
【０００２】
フィルターカートリッジに関する技術分野において、カートリッジ本体を容器型に製造する方法が、知られている。そして、その容器は、カートリッジ本体にフィルターベッドを保持するための少なくとも一つのグリッドと、流出口において濾過された液体の流出を制限するための要素とを含む。このようなカートリッジの構造の公知例として、Ｓｔｒｉｘ社出願のＷＯ２００４／０１４８０１号公報が、開示されている。
【０００３】
このカートリッジ本体は、通常、二つの部分、すなわちカップ部および蓋部から形成されている。そして、カートリッジ本体は、フィルターベッドおよび流出口からフィルターベッドを離隔させるグリッドがカップ部に導入された後に、組み立てられる。
【０００４】
しかしながら、このようなカートリッジ組み立て方法は、多くの欠点を有する。まず第一に、特にカートリッジ本体の成型のために、比較的に大型の金型が必要となる。ここで、カートリッジ本体は、本体の全ての構成要素を包含する。また、比較的に大型の構成要素を成型することによって、金型内部への不純物の流入や、成型品の形状の再現性、そしてカートリッジの組み立てと品質に関して重大な問題を生む厚み制御といったことに関する問題を引き起こすことも懸念される。第二に、たとえ本体の形状が互いにほぼ同じ形状である場合においても、各カートリッジ本体の成型のために、異なる金型が必要となる。
【先行技術文献】
【特許文献】
【０００５】
【特許文献１】ＷＯ２００４／０１４８０１号公報
【発明の概要】
【発明が解決しようとする課題】
【０００６】
この発明の主な目的は、前述した従来技術の欠点を克服するために構造的且つ機能的に設計されたフィルターカートリッジ、およびその製造方法を開発することである。
【課題を解決するための手段】
【０００７】
この課題は、以下の請求の範囲に記載するフィルターカートリッジ、およびその製造方法によって対処され、解決される。
【図面の簡単な説明】
【０００８】
【図１】この発明によって製造されたフィルターカートリッジの断面図である。
【図２】図１に示すカートリッジの構成要素の断面拡大図である。
【図３】図１の矢印Ａに示す構成要素をさらに拡大して示す断面拡大図である。
【図４】図２に示す構成要素の分解図である。
【図５】図３に相当する図であって、前述した図のカートリッジの一実施形態を示す断面拡大図である。
【図６】図２〜図５に示す技術的な教示によって製造された他の実施形態に係るカートリッジを概略的に示す全体図である。
【図７】図３に相当する図であって、前述した図のカートリッジのさらに他の実施形態を示す断面拡大図である。
【発明を実施するための形態】
【０００９】
以下、この発明の実施の形態を図面に基づき詳細に説明する。
【００１０】
この発明の特徴及び利点は、いくつかの好ましい実施形態に関する以下の詳細な説明によって明らかとなるが、これに限定されるものではない。また、理解の容易のために図面を参照しているが、これに限定する意図ではない。
【００１１】
図１において、参照番号１は、液体濾過用ジャグ、および飲料水や食用に用いられる水を濾過するために設計された同様の装置に用いられるフィルターカートリッジの全体を示す。
【００１２】
フィルターカートリッジ１は、カップ状の下部要素３および蓋状の上部要素４を有するカートリッジ本体２を備える。下部要素３および上部要素４は、周囲リップ部５において水密状に互いに連結されている。そして、フィルターカートリッジ１は、周囲リップ部５によって液体濾過用ジャグにおいて設けられた座部に組み込まれ、水密状に固定される。
【００１３】
カートリッジ本体２は、フィルターベッド（図示せず）を含むように構成されている。フィルターベッドは、イオン交換樹脂および／または活性炭の混合といったものから構成され、これらは、公知の処方である。使用時においては、濾過される水が、このフィルターベッド内を流れて通過する。カートリッジ本体２において、濾過される液体が流入する流入口７が、少なくとも一つ設けられている。そして、流入口７と対向する側において、濾過された液体が流出する流出口８（図示した実施形態においては二つ）が、少なくとも一つ設けられている。流出口８は、カートリッジの底部に配置されている。
【００１４】
後述する他の実施形態の開口部を除いて、すべての流出口は、互いに同じ形状を有する。したがって、当該構成要素は、同様の参照数字によって同定される。
【００１５】
この発明によれば、円形の開口部が、カートリッジ本体２の底部において、各流出口の位置に設けられている。円形の開口部は、フィルターベッドを前述のカートリッジ本体２の内部に保持するグリッド１１と、濾過された液体の流出を制限する制限要素１２を収容する座部１０を形成している。グリッド１１および制限要素１２は、ともに座部１０に対するプラグ形状を有し、座部１０に差し込まれて配置されている。
【００１６】
図１〜図４に示したこの発明の実施形態を参照して、グリッド１１および制限要素１２は、取付けリング１３を介在して、一つの筐体に組み立てられる。このようにして、個別の取扱いが可能であって、座部１０に挿入されるユニットを形成する。この実施形態においては、取付けリング１３は、軸方向に対向する端部を有する。それぞれの端部は、各座部１４、１５を含む。グリッド１１および制限要素１２に設けられた、座部１４、１５と対となる対座部１６、１７が、嵌合または溶接によって座部１４、１５に固定される。取付けリング１３も、取付けリング１３の外周部における中間部に環状の突出部１８を有する。そして、取付けリング１３は、突出部１８と、座部１０の内周部から突出する環状の歯部１９との係合またはスナップによって組み合わされる。
【００１７】
制限要素１２は、平坦な底部２１と、貫通孔が設けられた中央の付属部２２とが形成されたプラグ形状を有する。付属部２２は、グリッド１１に向けて突出している。さらに、プラグ形状には、同心である二つの環状部２３ａ、２３ｂの間に設けられた対座部１７が、形成されている。二つの環状部２３ａ、２３ｂの間に、取付けリング１３の端部が、受け入れられる。
【００１８】
図５に示した他の実施形態は、実質的に前述の実施形態と同様である。唯一の相違として、取付けリング１３は、座部１０の外郭部と一体となるように形成されている。
【００１９】
図５に示したさらに他の実施形態も、実質的に前述の実施形態と同様である。唯一の相違として、取付けリング１３は、グリッド１１と一体となるように形成されている。
【００２０】
フィルターカートリッジ１の製造方法は、カートリッジ本体２を準備する段階と、少なくともフィルターベッドを保持するグリッド１１、および当該流出の制限要素１２を個別に準備する段階と、流出口８にグリッド１１および制限要素１２を設置し、各部材を互いに組み立てる段階とを備える。
【００２１】
好ましくは、グリッド１１および制限要素１２は、流出口８に組み込まれる前に、互いに組み立てられる。
【００２２】
この発明は、このように、前述の課題を解決する一方で、多くの利点をもたらす。その利点とは、金型費用の削減や、構成要素の幾何学的および寸法的な精度の改善、これらの構成要素を他のカートリッジに適用する場合の適用性、そしてカートリッジの組立サイクルの改善である。
【００２３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００２４】
この発明による液体濾過用ジャグに用いられるフィルターカートリッジは、金型費用の削減や、構成要素の寸法精度の改善等を実現できるため、液体濾過用フィルターに有利に利用される。
【符号の説明】
【００２５】
１  フィルターカートリッジ、２  カートリッジ本体、３  下部要素、４  上部要素、５  周囲リップ部、７  流入口、８  流出口、１０，１４，１５，  座部、１１  グリッド、１２  制限要素、１３  取付けリング、１６，１７  対座部、１８  突出部、１９  歯部、２１  底部、２２  付属部、２３ａ，２３ｂ  環状部。
【図１】
2010531220.tif 000003
【図２】
2010531220.tif 000004
【図３】
2010531220.tif 000005
【図４】
2010531220.tif 000006
【図５】
2010531220.tif 000007
【図６】
2010531220.tif 000008
【図７】
2010531220.tif 000009
【国際調査報告】
2010531220.tif 000010
2010531220.tif 000011